(57)【要約】【課題】機会損失及び余剰在庫を発生させずにコンテンツビジネスを行うことを目的とする。  【解決手段】コンテンツホルダは、画像ファイルを販売サーバ２０に送信する（１）。販売者は、商品販売の準備が整ったら、販売サーバ２０の商品販売ＨＰ（以下「商品販売ＨＰ」という）に画像を掲載する。購入者は、商品販売ＨＰに掲載された画像を見て、その画像を用いた商品と数量を指定し、注文する（２）。販売サーバ２０は、注文確認メールを購入者に送信するとともに、コンテンツホルダ及び代理店に対しも注文確認メールを購入者から見えない状態で送信する（３）。販売サーバ２０は、注文データと、その注文データに含まれる画像のＵＲＬとを含む注文データを製造者に送信する（４）。製造者は、画像を販売サーバ２０からダウンロードし、注文データに応じて生産処理を行う（５）。できた商品は、購入者が指定した届け先に配送される（６）。コンテンツホルダには、売上額に応じた還元金が支払われる（７）。【選択図】図１
2007080075.tif 000002
【特許請求の範囲】
【請求項１】
デジタルコンテンツを提供するための提供端末装置と、前記デジタルコンテンツを用いた商品の販売を行う商品販売サーバと、がネットワークを介して接続された商品販売システムであって、
前記提供端末装置は、少なくとも一つの前記デジタルコンテンツを前記商品販売サーバに送信する端末送信手段を備え、
前記商品販売サーバは、前記提供端末装置から前記デジタルコンテンツを受信するサーバ受信手段と、
前記デジタルコンテンツを格納する格納手段と、
前記デジタルコンテンツを用いた複数品種の商品を提示する提示手段と、
前記複数品種の商品の中から購入者が所望する商品及びその商品数の指定を含む注文情報を受け付ける注文受付手段と、
前記注文情報に基づいてその注文額を算出する注文額算出手段と、
前記注文額を決済する決済手段と、
前記注文額のうち前記デジタルコンテンツの提供者に還元する還元額を算出する還元額算出手段と、
を備えたことを特徴とする商品販売システム。
【請求項２】
前記提示手段は、前記デジタルコンテンツを用いた複数品種の商品を掲載した商品販売ホームページとして構成され、
前記デジタルコンテンツに含まれる対象物の愛好者が閲覧するファンホームページ上に、前記商品販売ホームページへ移動可能なリンク手段が備えられる、
ことを特徴とする請求項１に記載の商品販売システム。
【請求項３】
前記商品販売サーバは、前記注文受付手段が前記注文情報を受け付けると、前記注文情報を前記提供端末装置、又は前記ネットワークに接続され、前記注文情報に基づいて製造する製造者が操作する製造者端末装置の少なくとも一つに前記注文情報を転送する転送手段を更に備える、
ことを特徴とする請求項１又は２に記載の商品販売システム。
【請求項４】
前記商品販売サーバは、前記デジタルコンテンツの提供者を識別するための識別情報に基づいて前記提供者を認証する提供者認証手段と、
前記商品の販売価格を設定するための価格設定手段と、を更に備え、
前記端末送信手段は、前記識別情報と、前記提供者が提供したデジタルコンテンツを用いた商品の販売額を示す販売額情報と、を前記商品販売サーバに送信し、
前記サーバ受信手段は、前記識別情報及び前記販売額情報を受信し、
前記価格設定手段は、前記提供者認証手段により認証された提供者から受信した前記販売額情報に基づいて前記商品の価格を設定し、
前記提示手段は、前記価格設定手段が設定した価格を提示する、
ことを特徴とする請求項１乃至３の何れか一つに記載の商品販売システム。
【請求項５】
デジタルコンテンツの提供者から提供を受けた前記デジタルコンテンツを用いた複数種類の商品を提示する提示手段と、
前記複数品種の商品の中から購入者が所望する商品及びその商品数の指定を含む注文情報を受け付ける注文受付手段と、
前記注文情報に基づいてその注文額を算出する注文額算出手段と、
前記注文額を決済する決済手段と、
前記注文額のうち前記デジタルコンテンツの提供者に還元する還元額を算出する還元額算出手段と、
を備えたことを特徴とする商品販売サーバ。
【請求項６】
前記商品販売サーバは、前記注文受付手段が前記注文情報を受け付けると、前記ネットワークに接続された前記デジタルコンテンツの提供者が操作する提供端末装置、又は前記ネットワークに接続され、前記注文情報に基づいて製造する製造者が操作する製造者端末装置の少なくとも一つに前記注文情報を転送する転送手段を更に備える、ことを特徴とする請求項５に記載の商品販売サーバ。
【請求項７】
前記商品に付加価値を付加するための付加価値手段を更に備える、
ことを特徴とする請求項５又は６に記載の商品販売サーバ。
【請求項８】
前記デジタルコンテンツは、画像データであり、
前記商品は、前記画像データに基づくプリントであり、
前記付加価値手段は、前記プリントの画面中にそのプリントの累計販売数を示すシリアル番号を付与する、
ことを特徴とする請求項７に記載の商品販売サーバ。
【請求項９】
前記付加価値手段は、前記商品の限定販売数を設定し、
前記提示手段は、前記商品とその商品の限定販売数とを表示し、
前記注文受付手段は、前記限定販売数を超える注文情報の受付を拒否する、
ことを特徴とする請求項７又は８に記載の商品販売サーバ。
【請求項１０】
前記注文額に応じた値引額、又は送料無料サービスの少なくとも一つの設定を行う値引設定手段を更に備える、
ことを特徴とする請求項５乃至９の何れか一つに記載の商品販売サーバ。
【請求項１１】
所定時間内に所定件数以上のアクセスがあった場合に、アクセス制限を行うためのアクセス制限手段を更に備える、
ことを特徴とする請求項５乃至１０の何れか一つに記載の商品販売サーバ。
【請求項１２】
前記提示手段は、複数のデジタルコンテンツを提示し、
前記提示された複数のデジタルコンテンツの中から購入者が所望するデジタルコンテンツ又は商品を検索するための検索条件を入力する検索条件入力手段と、
前記検索条件に合致するデジタルコンテンツ又は商品を抽出する検索手段と、を更に備え、
前記提示手段は、前記抽出されたデジタルコンテンツを提示する、
ことを特徴とする請求項５乃至１１の何れか一つに記載の商品販売サーバ。
【請求項１３】
デジタルコンテンツを提供するための提供端末装置から前記デジタルコンテンツを受信するステップと、
前記デジタルコンテンツを格納するステップと、
前記デジタルコンテンツを用いた複数品種の商品を提示するステップと、
前記複数品種の商品の中から購入者が所望する商品及びその商品数の指定を含む注文情報を受け付けるステップと、
前記注文情報に基づいてその注文額を算出するステップと、
前記注文額を決済するステップと、
前記注文額のうち前記デジタルコンテンツの提供者に還元する還元額を算出するステップと、
を含むことを特徴とする商品販売方法。
【請求項１４】
デジタルコンテンツを提供するための提供端末装置から前記デジタルコンテンツを受信するステップと、
前記デジタルコンテンツを格納するステップと、
前記デジタルコンテンツを用いた複数品種の商品を提示するステップと、
前記複数品種の商品の中から購入者が所望する商品及びその商品数の指定を含む注文情報を受け付けるステップと、
前記注文情報に基づいてその注文額を算出するステップと、
前記注文額を決済するステップと、
前記注文額のうち前記デジタルコンテンツの提供者に還元する還元額を算出するステップと、
をコンピュータに実行させることを特徴とする商品販売プログラム。
【請求項１５】
画像と、その画像の累計販売数を示すシリアル番号とをプリントしたプリント成果物であって、
前記プリント成果物において前記画像をプリントした面に前記累計販売数が印刷されたことを特徴とするプリント成果物。
【発明の詳細な説明】
【技術分野】
【０００１】
本発明は、商品販売システム、サーバ、方法、プログラム及びプリント成果物に係り、特に、機会損失や余剰在庫を生じさせることなくデジタルコンテンツを用いた商品の販売を可能にする技術に関する。
【背景技術】
【０００２】
従来、需要者が画像をアップロードして、オンデマンドで商品の作成を依頼するシステムがある。特許文献１には、自分の画像をアップロードし、その画像をゴルフボールに印刷する技術が開示されている。また、特許文献２には、自分が予め作成した画像をアップロードし、これを用いた商品の作成を依頼する技術が開示されている。更に、特許文献３には、アップロードした画像と品目データとを組み合わせた製品データを作成するシステムが開示されている。
【特許文献１】特開２００２−２９７９６５号公報
【特許文献２】特開２００４−２０６２８９号公報
【特許文献３】特開２００５−１４１６４０号公報
【発明の開示】
【発明が解決しようとする課題】
【０００３】
従来のコンテンツビジネスでは、芸能人のブロマイドやアニメーションのキャラクターや各種マスコットをプリントした日用雑貨品などの商品を販売する場合、芸能プロダクションやゲーム会社などのコンテンツ提供者（以下「コンテンツホルダ」という）と製造者及び販売者との間で商品化権の設定契約を行い、製造者及び販売者が販売する商品の需要を予測して生産し、販売していた。そのため、生産数量を上回る購入希望がある場合には品切れとなって機会損失が生じ、逆に購入希望数が生産数量に満たない場合には余剰在庫が生じるリスクを抱えた上でコンテンツビジネスを行う必要があった。また、購入者にとっては、プリントされる芸能人の写真やキャラクター、マスコットの絵柄を選ぶことができないという問題があった。
【０００４】
本発明は、上記問題に鑑みてなされたものであり、機会損失や余剰在庫の発生を防止し、かつ購入者の希望に添った商品を提供することを目的とする。
【課題を解決するための手段】
【０００５】
上記目的を達成するために、本発明に係る商品販売システムは、デジタルコンテンツを提供するための提供端末装置と、前記デジタルコンテンツを用いた商品の販売を行う商品販売サーバと、がネットワークを介して接続された商品販売システムであって、前記提供端末装置は、少なくとも一つの前記デジタルコンテンツを前記商品販売サーバに送信する端末送信手段を備え、前記商品販売サーバは、前記提供端末装置から前記デジタルコンテンツを受信するサーバ受信手段と、前記デジタルコンテンツを格納する格納手段と、前記デジタルコンテンツを用いた複数品種の商品を提示する提示手段と、前記複数品種の商品の中から購入者が所望する商品及びその商品数の指定を含む注文情報を受け付ける注文受付手段と、前記注文情報に基づいてその注文額を算出する注文額算出手段と、前記注文額を決済する決済手段と、前記注文額のうち前記デジタルコンテンツの提供者に還元する還元額を算出する還元額算出手段と、を備えたことを特徴とする。
【０００６】
これにより、コンテンツホルダは、商品販売サーバにデジタルコンテンツをアップロードすることにより、機会損失及び余剰在庫を生じさせることなく、デジタルコンテンツを用いた商品の販売を行うことができる。また、購入者は、所望する商品を発注することができる。
【０００７】
また、前記提示手段は、前記デジタルコンテンツを用いた複数品種の商品を掲載した商品販売ホームページとして構成され、前記デジタルコンテンツに含まれる対象物の愛好者が閲覧するファンホームページ上に、前記商品販売ホームページへ移動可能なリンク手段が備えてもよい。
【０００８】
これにより、そのデジタルコンテンツを用いた商品を購入することが期待できる購入者に対して、商品提示を行うことができる。
【０００９】
また、前記商品販売サーバは、前記注文受付手段が前記注文情報を受け付けると、前記注文情報を前記提供端末装置、又は前記ネットワークに接続され、前記注文情報に基づいて製造する製造者が操作する製造者端末装置の少なくとも一つに前記注文情報を転送する転送手段を更に備えてもよい。
【００１０】
これにより、デジタルコンテンツの提供者又は製造者にも注文内容を知らせることができる。
【００１１】
また、前記商品販売サーバは、前記商品販売サーバは、前記デジタルコンテンツの提供者を識別するための識別情報に基づいて前記提供者を認証する提供者認証手段と、前記商品の販売価格を設定するための価格設定手段と、を更に備え、前記端末送信手段は、前記識別情報と、前記提供者が提供したデジタルコンテンツを用いた商品の販売額を示す販売額情報と、を前記商品販売サーバに送信し、前記サーバ受信手段は、前記識別情報及び前記販売額情報を受信し、前記価格設定手段は、前記提供者認証手段により認証された提供者から受信した前記販売額情報に基づいて前記商品の価格を設定し、前記提示手段は、前記価格設定手段が設定した価格を提示してもよい。
【００１２】
これにより、不正な者による価格変更を防止しつつコンテンツホルダが提供端末装置を用いて商品販売サーバにアクセスし、価格を設定することができる。
【００１３】
また本発明に係る商品販売サーバは、デジタルコンテンツの提供者から提供を受けた前記デジタルコンテンツを用いた複数種類の商品を提示する提示手段と、前記複数品種の商品の中から購入者が所望する商品及びその商品数の指定を含む注文情報を受け付ける注文受付手段と、前記注文情報に基づいてその注文額を算出する注文額算出手段と、前記注文額を決済する決済手段と、前記注文額のうち前記デジタルコンテンツの提供者に還元する還元額を算出する還元額算出手段と、を備えたことを特徴とする。
【００１４】
これにより、デジタルコンテンツをアップロードすることにより、機会損失及び余剰在庫を生じさせることなく、デジタルコンテンツを用いた商品の販売を行うことができる。また、購入者は、所望する商品を発注することができる。
【００１５】
また、前記商品販売サーバは、前記商品販売サーバは、前記注文受付手段が前記注文情報を受け付けると、前記ネットワークに接続された前記デジタルコンテンツの提供者が操作する提供端末装置、又は前記ネットワークに接続され、前記注文情報に基づいて製造する製造者が操作する製造者端末装置の少なくとも一つに前記注文情報を転送する転送手段を更に備えてもよい。
【００１６】
これにより、提供者又は製造者に注文情報を知らせることができる。
【００１７】
また、前記商品に付加価値を付加するための付加価値手段を更に備えてもよい。
【００１８】
これにより、同種の商品を販売する際にもより価値の高い商品を販売することができる。
【００１９】
また、前記デジタルコンテンツは、前記デジタルコンテンツは、画像データであり、前記商品は、前記画像データに基づくプリントであり、前記付加価値手段は、前記プリントの画面中にそのプリントの累計販売数を示すシリアル番号を付与してもよい。
【００２０】
これにより、個々の商品の差別化を行うことができる。
【００２１】
また、前記付加価値手段は、前記付加価値手段は、前記商品の限定販売数を設定し、前記提示手段は、前記商品とその商品の限定販売数とを表示し、前記注文受付手段は、前記限定販売数を超える注文情報の受付を拒否してもよい。
【００２２】
これにより、所定数以上の商品の販売を規制し商品の希少価値を高めることができる。
【００２３】
また、前記注文額に応じた値引額、又は送料無料サービスの少なくとも一つの設定を行う値引設定手段を更に備えてもよい。
【００２４】
これにより、購入者に更なる商品の購入を促すことができる。
【００２５】
また、所定時間内に所定件数以上のアクセスがあった場合に、アクセス制限を行うためのアクセス制限手段を更に備えてもよい。
【００２６】
これにより、一時期にアクセスが集中した場合、例えばプレミア商品の販売開始時などにも、商品販売サーバへの負荷を制限することができる。
【００２７】
また、前記提示手段は、複数のデジタルコンテンツを提示し、前記提示された複数のデジタルコンテンツの中から購入者が所望するデジタルコンテンツ又は商品を検索するための検索条件を入力する検索条件入力手段と、前記検索条件に合致するデジタルコンテンツ又は商品を抽出する検索手段と、を更に備え、前記提示手段は、前記抽出されたデジタルコンテンツを提示してもよい。
【００２８】
これにより、デジタルコンテンツ又は商品が多数掲載されているときにも、購入者の希望に添ったデジタルコンテンツ又は商品を探しやすくすることができる。
【００２９】
また、本発明に係る商品販売方法は、デジタルコンテンツを提供するための提供端末装置から前記デジタルコンテンツを受信するステップと、前記デジタルコンテンツを格納するステップと、前記デジタルコンテンツを用いた複数品種の商品を提示するステップと、前記複数品種の商品の中から購入者が所望する商品及びその商品数の指定を含む注文情報を受け付けるステップと、前記注文情報に基づいてその注文額を算出するステップと、前記注文額を決済するステップと、前記注文額のうち前記デジタルコンテンツの提供者に還元する還元額を算出するステップと、を含むことを特徴とする。
【００３０】
また、本発明に係る商品販売プログラムは、デジタルコンテンツを提供するための提供端末装置から前記デジタルコンテンツを受信するステップと、前記デジタルコンテンツを格納するステップと、前記デジタルコンテンツを用いた複数品種の商品を提示するステップと、前記複数品種の商品の中から購入者が所望する商品及びその商品数の指定を含む注文情報を受け付けるステップと、前記注文情報に基づいてその注文額を算出するステップと、前記注文額を決済するステップと、前記注文額のうち前記デジタルコンテンツの提供者に還元する還元額を算出するステップと、をコンピュータに実行させることを特徴とする。
【００３１】
また、本発明に係るプリント成果物は、画像と、その画像の累計販売数を示すシリアル番号とをプリントしたプリント成果物であって、前記プリント成果物において前記画像をプリントした面に前記累計販売数が印刷されたことを特徴とする。
【００３２】
ここでいう「プリント成果物」とは、画像がプリントされた有体物であって、写真、衣服、食器、日用雑貨品を含む。
【００３３】
これにより、同種のプリント成果物であっても、個々に差別化を図ることができる。
【発明の効果】
【００３４】
本発明によれば、コンテンツホルダは、自分が保有するデジタルコンテンツを、商品販売サーバにアップロードする又はその商品販売サーバの運営者に提供するだけで、機会損失や余剰在庫の発生というリスクを抱えることなく、商品の販売し、その還元金が受け取れる。そのため、コンテンツホルダにとっては、商品の売り上げによる収益に応じたシステム利用料を払うだけでコンテンツビジネスを行うことができ、自らコンテンツの販売システムを構築したり、商品を準備したり、同等の機能を持つシステムを借用したりするコストリスクを回避しつつ、より多くの収益機会を得ることができる。また、還元金を受け取るという態様により、上記システム利用料を商品販売サーバの運営者に支払っているという意識を持たせることなく、運営者はシステム利用料を回収することができる。更に、購入者にとっては、自分の好みに合った商品を発注することができる。
【発明を実施するための最良の形態】
【００３５】
以下添付図面に従って本発明に係る商品販売システム、サーバ、方法、プログラム及びプリント成果物の好ましい実施の形態について詳説する。
【００３６】
＜第一実施形態＞
[システムの概略構成]
図１は、本発明に係る商品販売システム１を用いたコンテンツビジネスの概要を示す概要図である。コンテンツビジネスは、コンテンツホルダと、デジタルコンテンツを用いた商品の販売を行う販売サーバ２０を運営管理する販売者と、コンテンツホルダと代理契約してコンテンツビジネスを行う代理店と、商品の購入者と、商品の製造を行う製造者との間で行われる。販売者と製造者とは同一でもよい。また、代理店は必須ではなく、コンテンツホルダが直接販売者及び購入者との間でコンテンツビジネスを展開してもよい。なお、ここでいうコンテンツホルダとは、デジタルコンテンツの所有者のことをいい、デジタルコンテンツが芸能人を撮影したデジタル画像である場合には、その芸能人が所属する芸能プロダクションであり、スポーツ選手を撮影したデジタル画像である場合にはそのスポーツ選手が所属する球団やチームであり、スポーツ大会の主催者（例えば、自動車レースやバイクレースの主催者）であり、キャラクターのデジタル画像である場合はそのキャラクターの商品化権やアニメーションの版権を有している権利者である。また、コンテンツホルダは、個人であってもよい。代理店とは、コンテンツホルダに代わってコンテンツビジネスを行うものであればよく、例えば上述の芸能人のコンサートツアーやスポーツ観戦ツアーを企画・運営する旅行代理店やチケット販売業者などがある。
【００３７】
コンテンツホルダは、代理店にデジタルコンテンツを渡す。本実施形態では、デジタルコンテンツとして画像ファイルを用いるが、動画、音声であってもよい。代理店は、画像ファイルを販売サーバ２０に送信する（１）。販売者は、商品販売の準備が整ったら、販売サーバ２０の商品販売ホームページ（以下「商品販売ＨＰ」という）に画像を掲載する。購入者は、商品販売ＨＰに掲載された画像を見て、その画像を用いた商品と数量を指定し、注文する（２）。販売サーバ２０は、注文確認メールを購入者に送信するとともに、コンテンツホルダ及び代理店に対しても注文確認メールを購入者から見えない状態（Blind Carbon Copy）で送信する（３）。注文確認メールは、更に製造者に送信してもよい。
【００３８】
販売サーバ２０は、注文データと、その注文データに含まれる画像のＵＲＬとを含む注文データを、画像をプリントした商品（フォトグッズ）の製造者に送信する（４）。製造者は、画像を販売サーバ２０からダウンロードし、注文データに応じて生産処理を行う（５）。できた商品は、購入者が指定した届け先に配送される（６）。コンテンツホルダ（７）には、売上金額に応じた還元金が支払われる（７）。
【００３９】
図２は、図１のコンテンツビジネスで使用される商品販売システム１の概要を示すブロック図である。
【００４０】
商品販売システム１は、コンテンツホルダ又は代理店が操作する提供者端末装置１０と、販売サーバ２０と、購入者が操作するユーザ端末装置４０と、製造者が操作する製造者端末装置５０と、コンテンツホルダが運営するファンホームページのファイルが格納されたファンサイト６０と、がインターネット２により互いに接続される。以下の説明では、コンテンツホルダが代理店を介さず直接コンテンツビジネスを展開する態様として説明する。よって提供者端末装置１０の操作主体はコンテンツホルダである。
【００４１】
提供者端末装置１０は、画像ファイルを送信したり販売サーバ２０からメールを受信したりするための通信部１１と、ホームページを閲覧するためのＷｅｂブラウザ１２及び表示部１３と、コンテンツホルダの識別情報や価格情報を入力するための操作部１４とを備える。
【００４２】
販売サーバ２０は、画像ファイルを受信したり、メールを送信したりするための通信部２１と、受信した画像ファイルを登録し格納するための画像登録部２２と、画像ファイルをプリント可能な商品の品種や数量、価格、販売及び値引ルールを管理する販売商品管理部２３と、ユーザ端末装置４０から受信した注文データや、ユーザの個人情報を管理する注文データ管理部２４と、注文データに基づいて注文額を算出し、決済するための決済部２５と、コンテンツホルダへの還元金を算出して還元処理する還元部２６と、画像ファイルやその画像ファイルをプリント可能な商品を商品販売ＨＰ上に掲載するための商品提示部２７と、コンテンツホルダの情報を登録し格納するためのコンテンツホルダ登録部２８と、注文情報に基づいて製造データを生成するための製造データ生成部２９と、商品提示部２７が提示した画像ファイルや商品の中から所望するものを検索するための検索部３０と、所定時間内に所定件数以上の販売サーバ２０へのアクセスがあった場合にアクセス制限を行うためのアクセス制限部３１と、を備える。
【００４３】
上記注文データには、商品販売ＨＰ上に提示された複数のデジタルコンテンツのうち、購入者が選択したデジタルコンテンツ、及びそのデジタルコンテンツを用いた商品及びその数のほか購入者情報が含まれる。
【００４４】
上記注文データ管理部２４は、以前購入した、または購入していなくても本販売システム１の利用者として登録された購入者情報も管理・登録する。そして、受信した注文データに含まれる購入者情報と既に登録された購入者情報とを比較して認証を行う。
【００４５】
販売商品管理部２３は、認証済みのコンテンツホルダから送られた価格情報に基づいて価格の設定・更新や、値引を含む販売ルールの設定・更新を行う。また、商品の限定販売数を設定するなどの販売ルールの登録も行い、販売数の管理を行う。
【００４６】
上記通信部２１、画像登録部２２、販売商品管理部２３、注文データ管理部２４、決済部２５、還元部２６、商品提示部２７、コンテンツホルダ登録部２８、製造データ生成部２９、検索部３０、アクセス制限部３１は、これらの機能を実現するためのプログラムにより構成され、販売サーバ２０のメモリに適宜ロードされてＣＰＵにより実行されることにより機能を実現する。
【００４７】
ユーザ端末装置４０は、メールの送受信等を行うための通信部４１と、ホームページを閲覧するためのＷｅｂブラウザ４２及び表示部４３と、注文情報を入力するための操作部４４と、を備える。
【００４８】
製造者端末装置５０は、メールの送受信等を行うための通信部５１と、ホームページを閲覧するためのＷｅｂブラウザ５２及び表示部５３と、操作部５４と、を備える。
【００４９】
ファンサイト６０は、画像ファイルに含まれる芸能人、キャラクター、マスコットなどのファンが閲覧するファンホームページ（以下「ファンＨＰ」という）のファイルを格納し、要求に応じてファイルデータを送受信するファンＨＰ掲載部６１を備える。
【００５０】
次に図３に基づいて処理の流れを説明する。図３は、商品販売システム１の処理の流れを示すフローチャートである。図４は、Ｓ１の準備処理の流れを示すフローチャートである。
【００５１】
（ステップＳ１）
販売者は、コンテンツホルダから画像ファイルの提供を受け、画像ファイルをアップする準備を行う（Ｓ１）。図４に本ステップの処理の流れを示す。
【００５２】
Ｓ１０１では、コンテンツホルダの登録を行う（Ｓ１０１）。図５に、コンテンツホルダ登録画面８０の例を示す。コンテンツホルダ登録部２８は図５のコンテンツホルダ登録画面を提示する。コンテンツホルダ登録画面８０にはコンテンツホルダの「名前」、「住所」、「（電子）メール（アドレス）」、「リンク先ＨＰのＵＲＬ」、「振込口座」、「ＩＤ」、「パスワード」等のコンテンツホルダ情報の入力欄が設けられる。コンテンツホルダは、操作部１４により所定事項を記入し、通信部１１を介して販売サーバ２０に送信する。受信した情報はコンテンツホルダ登録部２８により登録・格納する。また、コンテンツホルダは、商品の販売額に対する還元金（利益分配金）についての規約も登録する。図６に還元金登録画面８１の例を示す。還元金登録画面８１には、コンテンツホルダの取り分を入力する。また、還元金登録画面８１には、還元金の支払い実績がある場合にはこれも表示する。
【００５３】
Ｓ１０２では、コンテンツホルダが、提供者端末装置１０から提供する画像ファイルを販売サーバ２０に送信し、通信部２１が受信する。販売サーバ２０の画像登録部２２は、受信した画像ファイルと、その画像ファイルを提供したコンテンツホルダとを関連づけて登録・格納する（Ｓ１０２）。図７は、登録される画像ファイルの例を示す。例えば図７では、コンテンツホルダ「Ａ」８２と６つの画像（画像１〜６）８３とが関連づけて格納される。
【００５４】
Ｓ１０３では、１つの画像に対して複数品種の商品を設定し登録する（Ｓ１０３）。販売商品管理部２３は、Ｓ１０２で受信した画像ファイルごとに設定された商品と販売額を登録する。図８は、販売商品管理部２３により設定登録される商品を示す商品登録画面８４の一例である。「画像１」に対して「Ｌプリント  ２００円」「ポスター  １００００円」「Ｔシャツ  ５０００円」など複数品種の商品が登録される。
【００５５】
Ｓ１０４では、販売ルールが設定される（Ｓ１０４）。図９は、販売商品管理部２３により表示される商品の販売ルール登録画面８５の一例である。販売ルールには、売上即ち注文額が所定金額以上の場合に適用する割引率を設定したり、Ｓ１０３で登録した商品の最大販売数量（限定数）を設定したりすることが含まれる。更に、限定販売される商品には、シリアル番号を付与するとの付加価値ルールを設定してもよい。また送料を無料にする注文金額の下限値を設定してもよい。
【００５６】
販売ルールの設定は、販売者が行ってもよいし、コンテンツホルダが提供者端末装置１０を介して販売ルール登録画面８５を取得し、設定してもよい。この場合、不正な者による販売ルールの設定を防ぐために、認証されたコンテンツホルダのみに販売ルールの設定を許可する。具体的には、コンテンツホルダに、そのコンテンツホルダを固有に識別するための識別情報（例えば、コンテンツホルダのＩＤとパスワードなど）を入力させ、提供者端末装置１０から販売サーバ２０に送信する。そして、販売商品管理部２３がコンテンツホルダ登録部２８を参照し、適正なコンテンツホルダであるか否かを判断し、コンテンツホルダを認証する。そして、認証が許可されたコンテンツホルダに対してのみ販売ルール登録画面８５での入力を許可するように構成する。
【００５７】
（ステップＳ２）
商品提示部２７は、販売商品管理部２３を参照し、販売商品管理部２３に登録された商品を商品販売ＨＰに掲載する（Ｓ２）。
【００５８】
（ステップＳ３）
販売者は、Ｓ１０１で入力された「リンク先ＨＰのＵＲＬ」を参照し、このファンＨＰ６３に商品販売ＨＰ１００へ移動するためのリンクボタン６２を設定する（Ｓ３）。リンク先ＨＰは、この商品の購入者が多く閲覧すると予想されるＨＰであることが望ましく、例えば、芸能人やスポーツのファンＨＰ、アニメーションのキャラクターやマスコットのファンＨＰがある。
【００５９】
（ステップＳ４）
購入者は、ファンサイト６０にアクセスし、ユーザ端末装置４０はファンＨＰ掲載部６１からファンＨＰ６３のファイルを取得し、表示する。そして、購入者がリンクボタン６２をクリックすると、ユーザ端末装置４０の表示部４３に商品販売ＨＰ１００が表示される（Ｓ４）。これにより、購入者を商品販売ＨＰ１００に誘導させることができる。図１０は、本ステップの内容を示す画面遷移図である。図１０ファンＨＰ６３は、芸能人「富士太郎」のファンＨＰ６３である。この富士太郎のファンＨＰ６３には、リンクボタン６２が備えられている。購入者がこのリンクボタン６２をクリックすると、商品販売ＨＰ１００のトップ画面１００Ａへ移動する。移動先の商品販売ＨＰ１００のトップ画面１００Ａには、「富士太郎」のサムネイル画像１０１、１０２、…が複数表示される。
【００６０】
（ステップＳ５）
購入者は、所望する画像及び商品を選択する（Ｓ６）。この選択に際しては、購入者は、所望する画像、商品を探すための検索条件をユーザ端末装置４０から販売サーバ２０へ送信し、検索部３０により、その検索条件に合う画像、商品を抽出して表示させてもよい。図１１は、本ステップの内容を示す画面遷移図である。購入者は、商品販売ＨＰ１００のトップ画面１００Ａに表示された富士太郎のサムネイル画像１０１、１０２、…のうち、所望する画像をクリックして選択すると、その画像が拡大表示された商品選択画面１００Ｂへ遷移する。画像１０３は、サムネイル画像１０２を拡大表示した画像である。次に、購入者は、拡大表示された画像を用いた商品を選択する。商品選択画面１００Ｂには商品選択欄１０４が備えられる。商品提示部２７は、販売商品管理部２３を参照し、この画像１０３に関連づけられた商品を商品選択欄１０４にプルダウンメニューで表示する。一つの画像１０３に対しては、複数品種の商品が表示される。商品の例として、画像１０３をプリントした「生写真」、「オリジナルグッズ」、「マグカップ」、「カレンダー」、「写真パネル」、「額付写真」がある。更に、「生写真」を選んだ場合には、その写真のサイズを選択できる。サイズの例として「Ｌサイズ」、「２Ｌサイズ」、「ポストカード」、「ワイド４切」、「Ａ３サイズ」、「Ａ２サイズ」、「Ａ１サイズ」がある。購入者は、商品選択欄１０４のメニューの中から所望する商品をクリックして選択する。注文データ管理部２４は、購入者が選択した注文情報を記録する。
【００６１】
（ステップＳ６）
購入者は、Ｓ５で選択した商品の注文を行う（Ｓ６）。図１２乃至１４は、本ステップで表示される画面遷移図である。購入者が商品選択画面１００Ｂで商品を選択し、カートボタン１０５をクリックすると、選択した商品が表示され、かつその商品の数量の指定欄１０６が表示された数量指定画面１００Ｃに遷移する。数量が指定されると、決済部２５は注文額を算出し数量指定画面１００Ｃにおいて表示する。購入者が、数量指定画面１００Ｃに備えられた購入ボタン１０７をクリックすると、購入するために必要な個人情報を記載するための個人情報入力画面１００Ｄに遷移する。
【００６２】
個人情報入力画面１００Ｄでは、既に購入履歴がある購入者に対しては電子メールアドレスとパスワードを入力させる。購入者が電子メールアドレスとパスワードが入力し、次画面ボタン１０８をクリックすると、注文データ管理部２４は、登録された購入者の個人情報と照合し、認証できたら支払方法選択画面１００Ｈへ遷移する。認証できなければエラー表示する。
【００６３】
初回の購入者に対しては、個人情報入力画面１００Ｄ〜１００Ｈで個人情報の入力をさせる。個人情報入力画面１００Ｄで「初めての利用」を選択し電子メールアドレスの入力をし、次画面ボタン１０８がクリックされると、セキュリティ保護画面１００Ｅに遷移する。セキュリティ保護画面１００Ｅでは、セキュリティ保護のメッセージ１０９と「次へ」ボタン１０９ｂが表示される。「次へ」ボタン１０９ｂをクリックすると個人情報登録画面１００Ｆに遷移する。
【００６４】
個人情報登録画面１００Ｆでは、購入者の「氏名」、「パスワード」、「郵便番号」、「住所」、「電話番号」などの個人情報を入力させる。個人情報登録画面１００Ｇは、個人情報の入力を行った状態を示す画面である。個人情報の入力が済むと、購入者は次画面ボタン１１０をクリックし、支払方法選択画面１００Ｈ、届け先入力画面１００Ｉ、届け先変更画面１００Ｊに順次遷移する。購入者は、支払方法選択画面１００Ｈで、「代引き」か「クレジット決済」かの決済方法を選択する。「代引き」を選択すると、届け先入力画面１００Ｉへ遷移する。届け先入力画面１００Ｉでは、商品の配送先として購入者の住所が確認のため表示される。「クレジット決済」を選択した場合には、届け先変更画面１００Ｊに遷移し、購入者住所とは異なる住所を入力することによりこの異なる住所への配達が可能にある。上記で入力された情報は、注文データ管理部２４が登録し、格納する。
【００６５】
（ステップＳ７）
販売商品管理部２３は、Ｓ６で選択された商品に限定販売ルールが設定されているか否かを判断する。限定販売設定があればＳ８へ、なければＳ９ヘ進む。
【００６６】
（ステップＳ８）
販売商品管理部２３が限定販売処理を行う（Ｓ８）。図１５にもとづいて限定販売の処理の流れを説明する。
【００６７】
Ｓ８０１では、Ｓ５で選択された商品の現在までの累計販売個数（「現在の販売個数」という）が限定設定個数よりも小さいか否かを判断する。「Ｙｅｓ」であればＳ８０２へ進み、「Ｎｏ」であればＳ８０３へ進む。
【００６８】
Ｓ８０２では、販売商品管理部２３が販売を許可するとともに、累計販売個数を「１」インクリメントする。販売商品管理部２３は、限定商品情報を表示する。図１６は、限定商品の販売数と現時点における残数を表示した限定販売画面１６０の表示例である。この限定販売画面１６０では、「富士太郎」の生写真の限定数１６１として「５０枚限り」と表示され、現時点での残数１６２として「５０枚」と表示される。すなわち、限定販売画面１６０は今のところ売り上げがないことを示している。
【００６９】
Ｓ８０３では、販売商品管理部２３が限定販売を終了した旨の表示を行う。Ｓ８０４では、製造データ生成部２９が、選択された商品にシリアル番号付与が設定されている場合にはシリアル番号を合成し、さらにシリアル番号を「１」インクリメントする。シリアル番号が設定されている場合には、商品にシリアル番号を付す。例えば、上述の例では、図１７に示すように富士太郎の生写真１７０の表面にシリアル番号１７１として「１／５０」が表示される。シリアル番号は、通常、番号が少ないほど価値が高い。このように、シリアル番号を付与することにより、デジタルコンテンツを用いた商品に付加価値を付与して販売することができる。
【００７０】
（ステップＳ９）
販売商品管理部２３は、値引処理があるか否かを判断する（Ｓ９）。「Ｙｅｓ」であれば値引処理を行い、「Ｎｏ」であればＳ１１へ進む。
【００７１】
（ステップＳ１０）
販売商品管理部２３は、値引情報を商品販売ＨＰ１００に掲載する（Ｓ１０）。図１８は、本ステップで表示される画面遷移図である。販売商品管理部２３は、販売ルールを参照し、購入者に対し更なる購入を促すための割引メッセージを表示する。割引メッセージの例には、例えば「○○円お買い物されると総額１０％割引となります」や「○○円以上は送料無料です」というメッセージがある。図１８では最終確認画面１００Ｋに「６５００円以上送料無料！」というメッセージが表示される。購入ボタン１１２がクリックされると最終的な発注が確定し、注文データ管理部２４が注文情報を登録する。最終確認画面１００Ｋには、利用規約も表示する。クレジット決済の場合はクレジット決済画面１００Ｌに遷移する。
【００７２】
（ステップＳ１１）
決済部２５が決済する（Ｓ１１）。
【００７３】
決済部２５が、クレジット決済画面１００Ｌを表示させ、決済に使用するクレジットカード情報の入力を促す。購入者が所定事項を記入して支払ボタン１１３をクリックすると決済処理が行われる。
【００７４】
（ステップＳ１２）
Ｓ５で選択した商品の製造、発送を行う（Ｓ１２）。製造データ生成部２９は、Ｓ１１で決済された注文に沿った製造データを生成し、通信部２１を介して製造者端末装置５０に送信する。製造データ生産部２９は、Ｓ８で限定販売情報を含む生成した製造データがあればその製造データも合わせて送信する。さらに、コンテンツホルダが使用する提供者端末装置１０に対しても注文データを転送する。これにより、コンテンツホルダは、どの商品がどの値段で販売されたかを知ることができる。なお注文データと製造でデータとを同一に生成し、注文データをコンテンツホルダ及び製造者に転送してもよい。
【００７５】
図１９は、製造データ生成部２９が製造者端末装置５０に送信する電子メール例である。電子メールには、購入者情報１９０と注文データ１９１とが含まれる。注文データ１９１には、購入者が選択した画像ファイルの場所を示すＵＲＬ１９２が記載される。製造者はこのＵＲＬ１９２から画像ファイルをダウンロードして、商品にプリントする処理を行う。製造された商品は購入者情報１９０に含まれる配送先に発送される。画像のＵＲＬ１９２を添付する代わりに、その画像ファイルを送信してもよい。製造者端末装置５０は、受信した電子メールに基づいて注文された商品を自動的に製造するように構成してもよい。
【００７６】
（ステップＳ１３）
還元部２６は、コンテンツホルダ登録部２８及び注文データ管理部２３を参照し、売上に応じた還元金を算出し、コンテンツホルダに送金する（Ｓ１３）。
【００７７】
上記実施形態において、所定時間内において販売サーバ２０へのユーザ端末装置４０からのアクセスが集中した場合には、アクセス制限部３１が販売サーバ２０へのアクセス制限を行ってもよい。これにより、特に、限定商品（プレミア商品）を販売する場合には、販売開始時に販売サーバ２０への注文アクセスが集中することがあり得るが、この場合に販売サーバ２０に係る負荷を軽減することができる。
【００７８】
上記実施形態によれば、コンテンツホルダは、保有するコンテンツを販売者に提供し、販売者が運営する販売サーバにコンテンツをアップロードする。そして、販売者または製造者は、購入者が選んだ画像を用いてその注文に応じた個数分の商品を製造し、その売上のうち所定割合をコンテンツホルダに還元する。これにより、コンテンツホルダは、コンテンツビジネスを開始するにあたり、コンテンツビジネスシステムを自ら構築することなく、さらに余剰在庫や機会損失を生じさせるリスクを負うことなく、コンテンツビジネスを展開することができる。さらに、購入者は、自分の好みに合った画像をプリントした商品を発注することができる。
【００７９】
なお、上記実施形態においては、デジタルコンテンツの例として画像（静止画）を用いたが、動画、音声でもよい。例えば、動画の１シーンを選んでプリントした商品の発注を行うようにしてもよいし、音声を用いた商品、例えば目覚まし時計などを販売してもよい。
【００８０】
また、上記実施形態では、複数のデジタルコンテンツと、そのデジタルコンテンツを用いた複数の商品とを提示して、ユーザにデジタルコンテンツ及び商品を選択させたが、デジタルコンテンツをプリントした商品のみを商品販売HPに掲載し、ユーザに商品を選択させるように構成してもよい。
【図面の簡単な説明】
【００８１】
【図１】本発明に係る商品販売システム１を用いたコンテンツビジネスの概要を示す概要図
【図２】商品販売システム１の概要を示すブロック図
【図３】商品販売システム１の処理の流れを示すフローチャート
【図４】ステップＳ１の準備処理の流れを示すフローチャート
【図５】コンテンツホルダ登録画面例
【図６】還元金登録画面例
【図７】登録される画像ファイルの例
【図８】商品登録画面例
【図９】販売ルール登録画面例
【図１０】ステップＳ４の内容を示す画面遷移図
【図１１】ステップＳ５の内容を示す画面遷移図
【図１２】ステップＳ６の内容を示す画面遷移図
【図１３】ステップＳ６の内容を示す画面遷移図
【図１４】ステップＳ６の内容を示す画面遷移図
【図１５】限定販売処理の流れを示すフローチャート
【図１６】限定商品の販売数と現時点における残数を表示した画面表示例
【図１７】プリント成果物を示す模式図
【図１８】ステップＳ１０の内容を示す画面遷移図
【図１９】製造データ生成部２９が製造者端末装置５０に送信する電子メール例
【符号の説明】
【００８２】
１：商品販売システム、２：インターネット、１０：提供者端末装置、２０：販売サーバ、４０：ユーザ端末装置、５０：製造者端末装置
【図１】
2007080075.tif 000003
【図２】
2007080075.tif 000004
【図３】
2007080075.tif 000005
【図４】
2007080075.tif 000006
【図５】
2007080075.tif 000007
【図６】
2007080075.tif 000008
【図７】
2007080075.tif 000009
【図８】
2007080075.tif 000010
【図９】
2007080075.tif 000011
【図１０】
2007080075.tif 000012
【図１１】
2007080075.tif 000013
【図１２】
2007080075.tif 000014
【図１３】
2007080075.tif 000015
【図１４】
2007080075.tif 000016
【図１５】
2007080075.tif 000017
【図１６】
2007080075.tif 000018
【図１７】
2007080075.tif 000019
【図１８】
2007080075.tif 000020
【図１９】
2007080075.tif 000021